(57)【要約】      （修正有）【課題】航空機端末（ＡＴ）において、ワイヤレス通信リンクを確立する。【解決手段】ＡＴ１１５は、場合によっては１００キロメートル超離れており、ＡＴと地上局１０５との間の伝搬遅延に基づいて、タイミングオフセットを決定する。ＡＴは、決定したタイミングオフセットに基づいて、地上局に初期アクセスメッセージを送信した後、地上局からタイミング整合値を含むアクセス応答メッセージを受信し、このタイミング整合値に基づいて、タイミングオフセットを調整する。ＡＴは、地上局にＡＴロケーション情報を含む接続メッセージを送信する。ＡＴロケーション情報は、ビームフォーミングを可能にするために地上局によって使用される。【選択図】図６
2019071616.tif 000002
【特許請求の範囲】
【請求項１】
航空機端末（ＡＴ）においてワイヤレス通信リンクを確立する方法であって、
前記ＡＴと地上局との間の伝搬遅延に少なくとも部分的に基づいて、タイミングオフセットを決定することと、
決定されたタイミングオフセットに少なくとも部分的に基づいて、前記地上局に初期アクセスメッセージを送信することと、
前記地上局からタイミング整合値を含むアクセス応答メッセージを受信することと、  前記タイミング整合値に少なくとも部分的に基づいて、前記タイミングオフセットを調整することと
を備える、方法。
【請求項２】
前記ＡＴと前記地上局との間の距離が少なくとも１００キロメートルである、請求項１に記載の方法。
【請求項３】
前記タイミングオフセットを決定することが、
ＡＴロケーションを識別することと、
前記ＡＴロケーションを地上局ロケーションと比較することと
をさらに備える、請求項１に記載の方法。
【請求項４】
全地球測位システム（ＧＰＳ）デバイスから前記ＡＴロケーションを識別することと、  地上局ロケーションの記憶されたセットからの前記地上局ロケーションにアクセスすることと
をさらに備える、請求項３に記載の方法。
【請求項５】
前記アクセス応答メッセージが、少なくとも、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信に十分なリソースを確保すべきであり、前記ＲＮＴＩが、セルＲＮＴＩ（Ｃ−ＲＮＴＩ）または一時セルＲＮＴＩ（ＴＥＭＰ−ＣＲＮＴＩ）のいずれかであり得る、請求項１に記載の方法。
【請求項６】
ロケーション情報を含む接続メッセージを送信すること
をさらに備える、請求項１に記載の方法。
【請求項７】
前記ロケーション情報が、少なくとも、前記ＡＴのロケーションを示す経度値、緯度値、および高度値を備える、請求項６に記載の方法。
【請求項８】
前記接続メッセージを送信することが、調整されたタイミングオフセットに少なくとも部分的に基づく、請求項６に記載の方法。
【請求項９】
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信すること
をさらに備える、請求項１に記載の方法。
【請求項１０】
ＡＴにおいてワイヤレス通信リンクを確立するための装置であって、
前記ＡＴと地上局との間の伝搬遅延に少なくとも部分的に基づいて、タイミングオフセットを決定するための手段と、
決定されたタイミングオフセットに少なくとも部分的に基づいて、前記地上局に初期アクセスメッセージを送信するための手段と、
前記地上局からタイミング整合値を含むアクセス応答メッセージを受信するための手段と、
前記タイミング整合値に少なくとも部分的に基づいて、前記タイミングオフセットを調整するための手段と
を備える、装置。
【請求項１１】
前記ＡＴと前記地上局との間の距離が少なくとも１００キロメートルである、請求項１０に記載の装置。
【請求項１２】
前記タイミングオフセットを決定するための手段が、
ＡＴロケーションを識別するための手段と、
前記ＡＴロケーションを地上局ロケーションと比較するための手段と
をさらに備える、請求項１０に記載の装置。
【請求項１３】
ＧＰＳデバイスから前記ＡＴロケーションを識別するための手段と、
地上局ロケーションの記憶されたセットからの前記地上局ロケーションにアクセスするための手段と
をさらに備える、請求項１２に記載の装置。
【請求項１４】
前記アクセス応答メッセージが、少なくとも、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信に十分なリソースを確保すべきであり、前記ＲＮＴＩが、セルＲＮＴＩ（Ｃ−ＲＮＴＩ）または一時セルＲＮＴＩ（ＴＥＭＰ−ＣＲＮＴＩ）のいずれかであり得る、請求項１０に記載の装置。
【請求項１５】
ロケーション情報を含む接続メッセージを送信するための手段
をさらに備える、請求項１０に記載の装置。
【請求項１６】
前記ロケーション情報が、少なくとも、前記ＡＴのロケーションを示す経度値、緯度値、および高度値を備える、請求項１５に記載の装置。
【請求項１７】
前記接続メッセージを送信するための手段が、調整されたタイミングオフセットに少なくとも部分的に基づく、請求項１５に記載の装置。
【請求項１８】
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信するための手段
をさらに備える、請求項１０に記載の装置。
【請求項１９】
ＡＴにおいてワイヤレス通信リンクを確立するための装置であって、
プロセッサと、
前記プロセッサと電子通信しているメモリと、
前記メモリに記憶された命令とを備え、前記命令が、前記プロセッサによって、
前記ＡＴと地上局との間の伝搬遅延に少なくとも部分的に基づいて、タイミングオフセットを決定することと、
決定されたタイミングオフセットに少なくとも部分的に基づいて、前記地上局に初期アクセスメッセージを送信することと、
前記地上局からタイミング整合値を含むアクセス応答メッセージを受信することと、
前記タイミング整合値に少なくとも部分的に基づいて、前記タイミングオフセットを調整することと
を行うために実行可能である、装置。
【請求項２０】
前記ＡＴと前記地上局との間の距離が少なくとも１００キロメートルである、請求項１９に記載の装置。
【請求項２１】
前記命令が、前記プロセッサによって、
ＡＴロケーションを識別することと、
前記ＡＴロケーションを地上局ロケーションと比較することと
を行うためにさらに実行可能である、請求項１９に記載の装置。
【請求項２２】
前記命令が、前記プロセッサによって、
ＧＰＳデバイスから前記ＡＴロケーションを識別することと、
地上局ロケーションの記憶されたセットからの前記地上局ロケーションにアクセスすることと
を行うためにさらに実行可能である、請求項２１に記載の装置。
【請求項２３】
前記命令が、前記プロセッサによって、
ロケーション情報を含む接続メッセージを送信すること
を行うためにさらに実行可能である、請求項１９に記載の装置。
【請求項２４】
前記接続メッセージを送信することが、調整されたタイミングオフセットに少なくとも部分的に基づく、請求項２３に記載の装置。
【請求項２５】
前記命令が、前記プロセッサによって、
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信すること
を行うためにさらに実行可能である、請求項１９に記載の装置。
【請求項２６】
ＡＴにおいてワイヤレス通信リンクを確立する方法であって、
地上局に初期アクセスメッセージを送信することと、
アクセス応答メッセージを受信することと、
前記地上局にＲＲＣ接続要求メッセージを送信することと、前記ＲＲＣ接続要求メッセージが前記ＡＴのロケーション情報を備える、
を備える、方法。
【請求項２７】
前記ロケーション情報が、緯度、経度、高度、ヘッディング、速度、またはタイムスタンプのうちの１つまたは複数を備える、請求項２６に記載の方法。
【請求項２８】
前記ロケーション情報が、前記地上局におけるビームフォーミングを容易にするように構成された、請求項２６に記載の方法。
【請求項２９】
前記地上局からダウンリンク上でデータを受信すること
をさらに備え、
前記データが、前記地上局におけるビームフォーミング構成を介して前記ダウンリンク上で送信される、請求項２６に記載の方法。
【請求項３０】
前記地上局にアップリンク上でデータを送信すること、
をさらに備え、
前記データが、前記地上局におけるビームフォーミング構成を介して前記アップリンク上で受信される、請求項２６に記載の方法。
【発明の詳細な説明】
【技術分野】
【０００１】
相互参照
[0001]本特許出願は、各々が本出願の譲受人に譲渡された、２０１４年４月２９日に出願された、「Enhanced Random Access Procedure for Air-to-Ground Communications」と題する、Ｌｉｕらによる米国特許出願第１４／２６５，１２３号、および２０１３年１２月１９日に出願された、「Enhanced Random Access Procedure for Air-to-Ground Communications」と題する、Ｌｉｕらによる米国仮特許出願第６１／９１８，４３７号の優先権を主張する。
【背景技術】
【０００２】
[0002]以下は、一般にワイヤレス通信に関し、より詳細には、空対地ワイヤレス通信システムのためのアクセス手順に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のモバイルデバイスのための通信を同時にサポートする、いくつかの地上局を含み得る。地上局は、ダウンストリームリンクおよびアップストリームリンク上で航空機端末（ＡＴ：aircraft terminal）と通信し得る。各地上局は、セルのカバレージエリアと呼ばれることがあるカバレージ範囲を有する。空対地システムでは、ＡＴと地上局との間の距離は、他のワイヤレス通信システムにおけるモバイルデバイスと基地局との間の距離よりも大きいことがある。この分離により、送信と、送信の受信との間に著しい遅延が生じることがある。そのような遅延により、送信の受信のために割り振られたタイムスロット中に送信が受信されない場合、送信が失われ得る。
【０００４】
[0004]ＡＴと地上局との間の大きい距離はまた、高い信号対雑音比（ＳＮＲ）を達成することを困難にし得る。ＳＮＲを改善するための１つの方法は、送信機が、受信機の方へより多くのエネルギーを向けるためにビームフォーミング技法を使用することである。しかしながら、地上局がＡＴにデータを送信するためにビームフォーミング技法を使用するためには、地上局がＡＴに関する追加情報を有することが必要であり得る。
【発明の概要】
【０００５】
[0005]説明する特徴は、一般に、航空機端末（ＡＴ）においてワイヤレス通信リンクを確立するための１つまたは複数の改善されたシステム、方法、および／または装置に関する。ＡＴは、場合によっては１００キロメートル超離れていることがあり得、ＡＴと地上局との間の伝搬遅延に基づいて、タイミングオフセットを決定し得る。ＡＴは、次いで、決定されたタイミングオフセットに基づいて、地上局に初期アクセスメッセージを送信し得る。いくつかの実施形態では、ＡＴは、地上局からタイミング整合値を含むアクセス応答メッセージを受信し得る。ＡＴは、この値に基づいて、タイミングオフセットを調整し得る。ＡＴは、地上局にロケーション情報を含む接続メッセージを送信し得る。この情報は、ビームフォーミングを容易にするために地上局によって使用され得る。
【０００６】
[0006]航空機端末（ＡＴ）においてワイヤレス通信リンクを確立する方法であって、ＡＴと地上局との間の伝搬遅延に少なくとも部分的に基づいて、タイミングオフセットを決定することと、決定されたタイミングオフセットに少なくとも部分的に基づいて、地上局に初期アクセスメッセージを送信することと、地上局からタイミング整合値を含むアクセス応答メッセージを受信することと、タイミング整合値に少なくとも部分的に基づいて、タイミングオフセットを調整することとを備える、方法について説明する。場合によっては、ＡＴと地上局との間の距離は少なくとも１００キロメートルである。
【０００７】
[0007]一実施形態では、タイミングオフセットを決定することは、ＡＴロケーションを識別することと、ＡＴロケーションを地上局ロケーションと比較することとをさらに備える。ＡＴは、全地球測位システム（ＧＰＳ）デバイスからＡＴロケーションを識別し、地上局ロケーションの記憶されたセットからの地上局ロケーションにアクセスし得る。
【０００８】
[0008]一実施形態では、アクセス応答メッセージは、少なくとも、無線ネットワーク一時識別子（ＲＮＴＩ）とアップリンク許可リソースとを備え得、ここにおいて、アップリンク許可リソースが、ＡＴロケーション情報をもつ接続メッセージのアップリンク送信に十分なリソースを確保すべきであり、ＲＮＴＩが、セルＲＮＴＩ（Ｃ−ＲＮＴＩ）または一時セルＲＮＴＩ（ＴＥＭＰ−ＣＲＮＴＩ）のいずれかであり得る。
【０００９】
[0009]本方法は、ロケーション情報を含む接続メッセージを送信することをさらに備え得る。上記ロケーション情報は、少なくとも、ＡＴのロケーションを示す経度値、緯度値、および高度値を備え得る。接続メッセージを送信することは、調整されたタイミングオフセットに少なくとも部分的に基づき得る。
【００１０】
[0010]本方法は、広いカバレージおよびアンテナダイバーシティを達成するように構成された１つまたは複数の広間隔の要素を備える地上局アンテナ要素のサブセットによって地上局において受信されるべき初期アクセスメッセージを送信することをさらに備え得る。
【００１１】
[0011]ＡＴにおいてワイヤレス通信リンクを確立するための装置であって、ＡＴと地上局との間の伝搬遅延に少なくとも部分的に基づいて、タイミングオフセットを決定するための手段と、決定されたタイミングオフセットに少なくとも部分的に基づいて、地上局に初期アクセスメッセージを送信するための手段と、地上局からタイミング整合値を含むアクセス応答メッセージを受信するための手段と、タイミング整合値に少なくとも部分的に基づいて、タイミングオフセットを調整するための手段とを備える、装置について説明する。
【００１２】
[0012]ＡＴにおいてワイヤレス通信リンクを確立するための装置であって、プロセッサと、プロセッサと電子通信しているメモリと、メモリに記憶された命令とを備え、命令が、プロセッサによって、地上局に初期アクセスメッセージを送信することと、アクセス応答メッセージを受信することと、地上局にＲＲＣ接続要求メッセージを送信することと、ＲＲＣ接続要求メッセージがＡＴのロケーション情報を備える、を行うために実行可能である、装置について説明する。
【００１３】
[0013]ＡＴにおいてワイヤレス通信リンクを確立するためのコンピュータプログラム製品であって、本コンピュータプログラム製品は、地上局に初期アクセスメッセージを送信することと、アクセス応答メッセージを受信することと、地上局にＲＲＣ接続要求メッセージを送信することと、ＲＲＣ接続要求メッセージがＡＴのロケーション情報を備える、を行うためにプロセッサによって実行可能な命令を記憶する非一時的コンピュータ可読媒体を備える、コンピュータプログラム製品について説明する。
【００１４】
[0014]説明する方法および装置の適用性のさらなる範囲は、以下の発明を実施するための形態、特許請求の範囲、および図面から明らかになろう。発明を実施するための形態の趣旨および範囲内の様々な変更および改変が当業者に明らかになろうから、発明を実施するための形態および特定の例は例示として与えられるものにすぎない。
【００１５】
[0015]本発明の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１６】
【図１】[0016]空対地ワイヤレス通信システムのシステム図。
【図２】[0017]例示的な航空機端末（ＡＴ）のブロック図。
【図３】[0018]より詳細にアクセスモジュールを示す例示的なＡＴのブロック図。
【図４】[0019]アクセスモジュールの一例のブロック図。
【図５】[0020]地上局と通信しているＡＴのブロック図。
【図６】[0021]アクセス手順の図。
【図７】[0022]受信されたプリアンブルシーケンスと地上局検出ウィンドウとの間の関係の図。
【図８】[0023]ＡＴにおいてワイヤレス通信リンクを確立するための方法のフローチャート。
【図９】[0024]追加のステップを示す、ＡＴにおいてワイヤレス通信リンクを確立するための方法のフローチャート。
【図１０】[0025]無線リソース制御（ＲＲＣ）接続要求メッセージとともにロケーション情報を送信するための方法のフローチャート。
【図１１】[0026]追加のステップを示す、ＲＲＣ接続要求メッセージとともにロケーション情報を送信するための方法のフローチャート。
【発明を実施するための形態】
【００１７】
[0027]航空機端末（ＡＴ）においてワイヤレス通信リンクを確立するための方法、システム、および装置について説明する。ＡＴは、場合によっては１００キロメートル超離れていることがある、ＡＴと地上局との間の伝搬遅延に基づいて、タイミングオフセットを決定し得る。ＡＴは、次いで、決定されたタイミングオフセットに基づいて、地上局に初期アクセスメッセージを送信し得る。初期アクセスメッセージはランダムアクセスプリアンブルであり得る。いくつかの実施形態では、ＡＴは、地上局からアクセス応答メッセージを受信し得る。アクセス応答メッセージはタイミング整合値を含み得る。一構成では、ＡＴは、タイミング整合値に基づいて、タイミングオフセットを調整し得る。ＡＴは、地上局に接続メッセージを送信し得る。一例では、接続メッセージは、ＡＴについてのロケーション情報を含み得る。ロケーション情報は、ビームフォーミングを容易にするために地上局によって使用され得る。
【００１８】
[0028]タイミングオフセットに基づいて初期アクセスメッセージを送信することにより、地上局は、初期アクセスメッセージを受信するために割り当てられた期間内で送信を受信することが可能になり得る。これは、より信頼できるアクセス手順を生じ得る。さらに、接続要求とともにロケーション情報を送信することにより、地上局は、後続のダウンリンク通信およびアップリンク通信のためにＡＴの方向に向くために、ビームフォーミングを使用することが可能になり得る。これは、より高い信号対雑音比の無線リンク、より信頼できる送信、およびより高いデータレートを可能にし得る。
【００１９】
[0029]以下の説明は、例を与えるものであり、特許請求の範囲に記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２０】
[0030]最初に図１を参照すると、図は、空対地ワイヤレス通信システム１００の一例を示している。空対地ワイヤレス通信システム１００は、いくつかの地上局（またはセル）１０５と、ＡＴ１１５と、コアネットワーク１３０とを含む。地上局１０５は、様々な実施形態においてコアネットワーク１３０または地上局１０５の一部であり得る、地上局コントローラ（図示せず）の制御下でＡＴ１１５と通信し得る。地上局１０５は、バックホールリンク１２０を介してコアネットワーク１３０と制御情報および／またはユーザデータを通信し得る。いくつかの実施形態では、地上局１０５は、ワイヤードまたはワイヤレス通信リンクであり得るバックホールリンク１３５を介して、直接的または間接的のいずれかで、互いに通信し得る。空対地ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２１】
[0031]地上局１０５は、１つまたは複数の地上局アンテナを介して、ＡＴ１１５とワイヤレスに通信し得る。地上局１０５のサイトの各々は、それぞれの地理的カバレージエリア１１０に通信カバレージを与え得る。地理的カバレージエリア１１０は、地対地ワイヤレスシステムのセルサイズと比較して大きいことがある。場合によっては、地理的エリアは数百キロメートルの半径を有し得る。大きい地理的カバレージエリアにより、ＡＴとサービング地上局との間の距離は１００キロメートルよりも大きいことがある。その距離は、旧来のモバイルデバイスと基地局との間の距離よりも大きいことがある。場合によっては、１つまたは複数の広間隔の要素を含む地上局アンテナ要素のサブセットが、広いカバレージおよびアンテナダイバーシティを達成するように構成され得る。
【００２２】
[0032]いくつかの実施形態では、地上局１０５は、基地局、基地トランシーバ局、無線地上局、アクセスポイント、無線トランシーバ、基本サービスセット（ＢＳ）、拡張サービスセット（ＥＳＳ）、ノードＢ、ｅノードＢ（ｅＮＢ）、または何らかの他の好適な用語で呼ばれることがある。地上局１０５のための地理的カバレージエリア１１０は、カバレージエリアの一部分のみを構成するセクタに分割され得る（図示せず）。異なる技術のための重複するカバレージエリアがあり得る。
【００２３】
[0033]コアネットワーク１３０は、バックホールリンク１２０（たとえば、Ｓ１など）を介して地上局１０５と通信し得る。地上局１０５はまた、たとえば、バックホールリンク１３５（たとえば、Ｘ２など）を介しておよび／またはバックホールリンク１２０を介して（たとえば、コアネットワーク１３０を通して）直接または間接的に、互いと通信し得る。空対地ワイヤレス通信システム１００は同期動作または非同期動作をサポートし得る。同期動作の場合、地上局１０５は同様のフレームタイミングを有し得、異なる地上局１０５からの送信は近似的に時間的に整合され得る。非同期動作の場合、地上局１０５は異なるフレームタイミングを有し得、異なる地上局１０５からの送信は時間的に整合されないことがある。本明細書で説明する技法は、同期動作または非同期動作のいずれかのために使用され得る。
【００２４】
[0034]ＡＴ１１５は、空対地ワイヤレス通信システム１００全体にわたって分散している。ＡＴは、飛行機、ヘリコプター、またはバルーンなど、空輸ビークル上に配置され得る。場合によっては、ＡＴ１１５は、地上にも配置され得る。ＡＴ１１５は、モバイルデバイス、ユーザ機器、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ユーザエージェント、モバイルクライアント、クライアント、または何らかの他の好適な用語で呼ばれることもある。ＡＴ１１５は、双方向無線機、無線セルラーフォン、ワイヤレスモデム、ワイヤレス通信デバイス、ハンドヘルドデバイス、ワイヤレスローカルループ（ＷＬＬ）局などであり得る。
【００２５】
[0035]空対地ワイヤレス通信システム１００に示された通信リンク１２５は、ＡＴ１１５から地上局１０５へのアップリンク（ＵＬ）送信および／または地上局１０５からＡＴ１１５へのダウンリンク（ＤＬ）送信を含み得る。ダウンリンク送信は順方向リンク送信と呼ばれることもあり、アップリンク送信は逆方向リンク送信と呼ばれることもある。ＡＴ１１５と地上局１０５との間の潜在的に大きい距離により、通信リンク１２５は、著しい伝搬遅延を伴うことがある。地上局１０５またはＡＴ１１５は、通信リンク１２５について信号対雑音比を改善するために、ビームフォーミング技法を利用し得る。
【００２６】
[0036]次に図２を参照すると、ブロック図２００は、様々な実施形態による、地上局１０５とのワイヤレス通信リンクを確立するための例示的なＡＴ１１５−ａを示している。ＡＴ１１５−ａは、図１を参照しながら説明したＡＴ１１５の１つまたは複数の態様の一例であり得る。ＡＴ１１５−ａは、受信機２０５、アクセスモジュール２１０、および／または送信機２１５を含み得る。ＡＴ１１５−ａはプロセッサをも含み得る（図示せず）。これらの構成要素の各々は互いと通信していることがある。
【００２７】
[0037]ＡＴ１１５−ａのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、ＡＴ１１５−ａの動作に関係する１つまたは複数の機能を実行するための手段であり得る。
【００２８】
[0038]受信機２０５は、パケット、ユーザデータ、および／または同期信号とアクセスメッセージとを含む制御情報などの情報を受信し得る。受信された情報は、復調、デスクランブル、デインターリーブ、および復号され得る。情報は、ＡＴ１１５−ａのアクセスモジュール２１０および他の構成要素上に受け渡され得る。受信機２０５は単一のアンテナを含み得るか、またはそれは複数のアンテナを含み得る。
【００２９】
[0039]アクセスモジュール２１０は、タイミングオフセットを決定することを含む、地上局１０５との通信リンク１２５を確立するためのステップを実行し得る。このタイミングオフセットは、地上局１０５が、そのようなメッセージを受信することに割り当てられた時間期間内にアクセスメッセージを受信することを可能にし得る。情報および命令は、ＡＴ１１５−ａのプロセッサ（図示せず）、受信機２０５、送信機２１５、または他の構成要素に受け渡され得る。
【００３０】
[0040]送信機２１５は、ＡＴ１１５−ａの他の構成要素またはアクセスモジュール２１０から受信された１つまたは複数の信号を送信し得る。たとえば、送信機２１５は、決定されたタイミングオフセットに少なくとも部分的に基づいて、地上局１０５に初期アクセスメッセージを送信し得る。いくつかの実施形態では、送信機２１５は、トランシーバモジュール（図示せず）において受信機２０５とコロケートされ得る。送信機２１５は単一のアンテナを含み得るか、またはそれは複数のアンテナを含み得る。
【００３１】
[0041]次に図３を参照すると、ブロック図３００は、様々な実施形態による、地上局１０５とのワイヤレス通信リンクを確立するための例示的なＡＴ１１５−ｂを示している。ＡＴ１１５−ｂは、図１および／または図２を参照しながら説明したＡＴ１１５の１つまたは複数の態様の一例であり得る。ＡＴ１１５−ｂは、受信機２０５、アクセスモジュール２１０−ａ、および／または送信機２１５を含み得る。アクセスモジュール２１０−ａは、図２を参照しながら説明したアクセスモジュール２１０の一例であり得る。一構成では、アクセスモジュール２１０−ａは、アクセスメッセージモジュール３０５と、タイミングモジュール３１０と、ロケーションモジュール３１５とを含み得る。
【００３２】
[0042]ＡＴ１１５−ｂのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、ＡＴ１１５−ｂの動作に関係する１つまたは複数の機能を実行するための手段であり得る。
【００３３】
[0043]受信機２０５は上記で説明した機能を実行し得る。特に、それは、地上局からタイミング整合値を含み得るアクセス応答メッセージを受信し得る。それはまた、競合解消メッセージを受信し得る。場合によっては、受信機２０５はまた、地上局からダウンリンク上でデータを受信し得、データは、地上局におけるビームフォーミング構成を介してダウンリンク上で送信される。
【００３４】
[0044]送信機２１５は上記で説明した機能を実行し得る。さらに、送信機２１５は、ロケーション情報を含む接続メッセージを送信し得る。特に、送信機２１５は地上局１０５に無線リソース制御（ＲＲＣ）接続要求メッセージを送信し得、ＲＲＣ接続要求メッセージはＡＴのロケーション情報を備える。接続メッセージの送信は、調整されたタイミングオフセットに少なくとも部分的に基づき得る。場合によっては、送信機２１５は、広いカバレージおよびアンテナダイバーシティを達成するように構成された１つまたは複数の広間隔の要素を備える地上局アンテナ要素のサブセットによって地上局において受信されるべき初期アクセスメッセージを送信し得る。一実施形態では、送信機２１５は、地上局１０５にアップリンク上でデータを送信し得、データは、地上局１０５におけるビームフォーミング構成を介してアップリンク上で受信される。
【００３５】
[0045]初期アクセスメッセージモジュール３０５は、地上局１０５との通信リンク１２５を確立するために、アクセス手順に関係するメッセージを送信および受信し得る。これらのメッセージとしては、限定はしないが、初期アクセスメッセージ、アクセス応答メッセージ、接続メッセージ、および競合解消メッセージがある。初期アクセスメッセージおよび接続メッセージは、送信機２１５を用いて送られ得る。アクセス応答メッセージおよび競合解消メッセージは、受信機２０５と協調して受信され得る。
【００３６】
[0046]タイミングモジュール３１０は、ＡＴ１１５と地上局１０５との間のラウンドトリップ伝搬遅延に少なくとも部分的に基づいて、タイミングオフセットを決定し得る。伝搬遅延がＡＴのロケーションに部分的に依存し得るので、タイミングモジュール３１０は、ロケーションモジュール３１５と協調してタイミングオフセットを決定し得る。ロケーションモジュールは、ＡＴロケーションを識別し、ＡＴロケーションを地上局ロケーションと比較し得る。
【００３７】
[0047]次に図４を参照すると、ブロック図４００は、様々な実施形態による、地上局１０５とのワイヤレス通信リンクを確立するための例示的なアクセスモジュール２１０−ｂを示している。アクセスモジュール２１０−ｂは、図２および／または図３を参照しながら説明したアクセスモジュール２１０の１つまたは複数の態様の一例であり得る。アクセスモジュール２１０−ｂは、図３を参照しながら上記で説明した機能を実行し得る、アクセスメッセージモジュール３０５−ａと、タイミングモジュール３１０−ａと、ロケーションモジュール３１５−ａとを含み得る。アクセスメッセージモジュール３０５−ａは、初期アクセスメッセージモジュール４０５と、応答メッセージモジュール４１０と、接続メッセージモジュール４１５と、競合解消モジュール４２０とを含み得る。タイミングモジュール３１０−ａは、オフセットモジュール４２５とオフセット調整モジュール４３０とを含み得る。ロケーションモジュール３１５−ａは、ＡＴロケーションモジュール４３５と地上局（ＧＳ）ロケーションモジュール４４０とを含み得る。
【００３８】
[0048]アクセスモジュール２１０−ｂのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、アクセスモジュール２１０−ｂの動作に関係する１つまたは複数の機能を実行するための手段であり得る。
【００３９】
[0049]初期アクセスメッセージモジュール４０５は、送信機２１５と協調して、オフセットモジュール４２５と協調して決定されたタイミングオフセットに少なくとも部分的に基づいて、地上局１０５に初期アクセスメッセージを送信し得る。初期アクセスメッセージ送信は、ランダムアクセス無線ネットワーク一時識別子（ＲＡ−ＲＮＴＩ）を搬送し得る。ＲＡ−ＲＮＴＩは、ＰＲＡＣＨ送信時間および周波数によって決定され得、場合によっては初期アクセスメッセージに依存しない。一例として、初期アクセスメッセージは６ビットの情報を備え得る。この場合、初期アクセスモジュールは、６４個の利用可能なランダムアクセスチャネル（ＲＡＣＨ）プリアンブルのうちの１つをランダムに選択し得る。この選択は、同じ期間中に別のＡＴによって選択されたＲＡＣＨプリアンブルと同じであるプリアンブルの選択を生じ、要求の衝突が生じ得る可能性がある。
【００４０】
[0050]応答メッセージモジュール４１０は、受信機２０５と協調して、地上局からタイミング整合値を含み得るアクセス応答メッセージを受信し得る。応答メッセージモジュール４１０は、オフセット調整モジュール４３０上にこのタイミング整合値を受け渡し得る。アクセス応答メッセージは、少なくとも、無線ネットワーク一時識別子（ＲＮＴＩ）とアップリンク許可リソースとを備え得、ここにおいて、アップリンク許可リソースは、以下で説明するＡＴロケーション情報をもつ接続メッセージのアップリンク送信に十分なリソースを確保すべきであり、ＲＮＴＩは、たとえば、セルＲＮＴＩ（Ｃ−ＲＮＴＩ）または一時セルＲＮＴＩ（ＴＥＭＰ−ＣＲＮＴＩ）であり得る。応答メッセージモジュール４１０は、通信リンク１２５上での地上局１０５との将来の通信を協調させるために、この情報を処理し得る。場合によっては、これは、ＡＴ１１５がどのアップリンク共有チャネル（ＵＬ−ＳＣＨ）リソースを使用し得るかを決定することを含む。
【００４１】
[0051]接続メッセージモジュール４１５は、送信機２１５と協調して、地上局１０５に接続メッセージを送信し得る。接続メッセージは、オフセット調整モジュール４３０と協調して調整されたタイミングオフセットに少なくとも部分的に基づいて送信され得る。接続メッセージは、ＡＴロケーションモジュール４３５からのロケーション情報を含み得る。場合によっては、接続メッセージは、ＲＲＣ接続要求メッセージであり得、ＲＲＣ接続要求、ＲＲＣ再確立要求、ランダム値、一時的モバイル加入者識別情報（ＴＭＳＩ）、または接続確立原因のうちの１つまたは複数を含み得る。接続メッセージは、ＡＴが、地上局１０５との新しい通信リンク１２５を確立しているのか、前に存在した接続を再確立しているのかに少なくとも部分的に基づき得る。
【００４２】
[0052]競合解消モジュール４２０は、受信機２０５と協調して、競合解消メッセージを受信し得る。競合解消メッセージは、特定のＴＭＳＩまたは乱数をもつＡＴ１１５に宛てられ得る。それは、さらなる通信のために使用されるべきＣ−ＲＮＴＩを含み得る。複数のＡＴ１１５が初期アクセスメッセージのための同じＲＡＣＨプリアンブルを選択した場合、１つまたは複数のＡＴ１１５が競合解消メッセージを受信しないことがある。この場合、競合解消モジュール４２０によって決定されたある時間期間の間待った後、競合解消メッセージを受信しなかったＡＴ１１５は、別の初期アクセスメッセージを送り得る。
【００４３】
[0053]オフセットモジュール４２５は、ＡＴ１１５と地上局１０５との間の伝搬遅延に少なくとも部分的に基づき得るタイミングオフセットを決定し得る。伝搬遅延は、ＡＴと地上局との間の距離に基づき得る。一例では、距離は１００キロメートルよりも大きいことがある。大きい距離により、伝搬遅延は、オフセットがなければ、初期アクセスメッセージが、初期アクセスメッセージのための検出ウィンドウ外で地上局１０５において受信され得るほど十分に長いことがある。タイミングオフセットは、地上局から何らかのメッセージを受信する前に決定され得る。タイミングオフセットは、ＡＴロケーションモジュール４３５およびＧＳロケーションモジュール４４０と協調して決定され得る。タイミングオフセットに従って送信することにより、初期アクセスメッセージは検出ウィンドウ内で受信され得るが、それは検出ウィンドウの最初に同期させられないことがある。初期アクセスメッセージは、送信が検出ウィンドウと同期させられない場合にメッセージが正しく受信され得るように、サイクリックプレフィックスおよび／またはガードタイムを含み得る。
【００４４】
[0054]オフセット調整モジュール４３０は、地上局１０５からアクセス応答メッセージの一部として受信されたタイミング整合値に少なくとも部分的に基づいて、タイミングオフセットを調整し得る。調整されたタイミングオフセットは、ＡＴ１１５と地上局１０５との間で同期させられたか、またはほぼ同期させられた通信を生じ得る。タイミングオフセットは、ＡＴ１１５のロケーションの変化に基づいて、１回または複数回調整される必要があり得る。これらの調整は、地上局１０５から受信された１つまたは複数のタイミング整合メッセージに基づいて行われ得る。いくつかの実施形態では、調整はタイミング整合メッセージとは無関係に行われ得る。
【００４５】
[0055]ＡＴロケーションモジュール４３５はＡＴロケーションを識別し得る。ＡＴロケーションは、全地球測位システム（ＧＰＳ）デバイスから識別され得る。ＡＴロケーションはまた、他の航空機ナビゲーション機器と協調して決定され得る。いくつかの実施形態では、ＡＴロケーションモジュール４３５は、航空機ＧＰｓデバイスを含む他の航空機ナビゲーションユニットから受信された情報とは無関係にＡＴ１１５のロケーションを決定し得る構成要素を含んでいることがある。ＡＴロケーション情報は、緯度、経度、高度、ヘッディング速度、またはタイムスタンプとして１つまたは複数またはを備え得る。それは、アップリンクまたはダウンリンク上でＡＴ１１５と地上局１０５との間のビームフォーミングを容易にするように構成され得る。ＡＴロケーションは、ＧＳロケーションモジュール４４０と協調し、オフセットモジュール４２５に情報を受け渡し得る。
【００４６】
[0056]ＧＳロケーションモジュール４４０は地上局ロケーションを識別し得る。ロケーションモジュール３１５−ａは、ＡＴロケーションを地上局ロケーションと比較し、オフセットモジュール４２５に情報を受け渡し得る。地上局モジュールは、地上局から何らかの通信を受信する前に決定され得るか、またはそれは地上局１０５から受信され得る。地上局ロケーションが、地上局１０５からロケーション情報を受信するより前に決定される場合、ＧＳロケーションモジュール４４０は、地上局ロケーションの記憶されたセットからの地上局ロケーションにアクセスし得る。地上局ロケーションの記憶されたセットは、ＡＴ１１５上に配置されたメモリに記憶され得る。地上局ロケーションはまた、ＡＴ事業者によって入力され得る。地上局ロケーションは、ＡＴロケーションモジュール４３５から受信されたＡＴロケーションと比較して、地上局１０５のカバレージエリア１１０に関する情報に基づいて選択され得る。
【００４７】
[0057]次に図５を参照すると、ブロック図５００は、地上局１０５と通信している例示的なＡＴ１１５−ｃを示している。ＡＴ１１５−ｃおよびそれの構成要素は、図１、図２、および／または図３を参照しながら説明したＡＴ１１５の１つまたは複数の態様の一例であり得る。ＡＴ１１５−ｃの構成要素は、上記で説明した構成要素と同様の機能をも有し得る。たとえば、アクセスモジュール２１０は、図２、図３、および／または図４に関するアクセスモジュール２１０の一例であり得る。受信機２０５および送信機２１５は、図２〜図３を参照しながら前に説明した機能を実行し得る。
【００４８】
[0058]受信機２０５、アクセスモジュール２１０、および／または送信機２１５に加えて、ＡＴ１１５−ｃは、それぞれ（たとえば、１つまたは複数のバス上で）直接または間接的に互いと通信していることがある、プロセッサモジュール５０５、メモリ５１０、ソフトウェア５１５、モデム５２０、ネットワークインターフェースモジュール５２５、およびＧＰＳインターフェースモジュール５３０をも含み得る。受信機２０５および送信機２１５は、１つまたは複数の地上局１０５を通してコアネットワーク１３０と双方向に通信するように構成され得る。
【００４９】
[0059]ＡＴ１１５−ｃは、プロセッサモジュール５０５中に含まれ得るプロセッサによって実行可能な命令を記憶する非一時的コンピュータ可読媒体をも含み得る。特に、メモリ５１０は、プロセッサモジュール５０５と電子通信していることもある。メモリ５１０は、ランダムアクセスメモリ（ＲＡＭ）と読取り専用メモリ（ＲＯＭ）とを含み得る。
【００５０】
[0060]メモリ５１０はまた、実行されるとプロセッサモジュール５０５に本明細書で説明する様々な機能（たとえば、呼処理、データベース管理、メッセージルーティングなど）を実行させるように構成された命令を含んでいるコンピュータ可読、コンピュータ実行可能ソフトウェアコード５１５を記憶し得る。代替的に、ソフトウェアコード５１５は、プロセッサモジュール５０５によって直接的に実行可能でないことがあるが、たとえば、コンパイルされ実行されると、コンピュータに本明細書で説明する機能を実行させるように構成され得る。プロセッサモジュール５０５は、インテリジェントハードウェアデバイス、たとえば、中央処理ユニット（ＣＰＵ）、マイクロコントローラ、特定用途向け集積回路（ＡＳＩＣ）などを含み得る。
【００５１】
[0061]ＡＴ１１５−ｃは、ネットワークインターフェースモジュール５２５によって管理されるインターフェースに従ってモデム５２０を使用して地上局１０５と通信し得る。モデムは、受信機２０５と協調して、地上局１０５から受信された情報を復調、デスクランブル、デインターリーブ、および／または復号し得る。モデムはまた、ネットワークインターフェースモジュール５２５および送信機２１５と協調して送信されるべきデータを符号化、インターリーブ、スクランブル、および変調し得る。変調／復調方式は、空対地ワイヤレス通信システム１００の技術に基づいて決定され得、それは、通信リンク１２５の品質にも基づき得る。
【００５２】
[0062]ＧＰＳインターフェースモジュール５３０は、航空機ＧＰＳユニットからロケーション情報を受信し得る。それはまた、他の航空機ナビゲーションユニットと協調し、ＡＴロケーションモジュール４３５にロケーション情報を送り得る。ＧＰＳインターフェースモジュール５３０は、ロケーション情報の信頼性を決定するために、ＡＴロケーションモジュール４３５と協調し得る。信頼性決定は、異なるＡＴナビゲーションユニットからの情報の利用可能性に依存し得る。
【００５３】
[0063]次に図６を参照すると、図６００は、地上局１０５との通信リンク１２５を確立するために使用され得るアクセス手順を示している。地上局１０５、地理的カバレージエリア１１０、ＡＴ１１５、および通信リンク１２５は、図１、図２、図３、図４、および／または図５に関する空対地ワイヤレス通信システム１００の構成要素の例であり得る。手順は、ＡＴ１１５が地上局１０５の地理的カバレージエリア１１０に入ったときに開始され得る。
【００５４】
[0064]初期アクセスメッセージ６０５は、初期アクセスモジュール４０５によって生成され得、送信機２１５によって地上局１０５に送信され得る。それは、ＡＴ１１５を、地上局１０５との通信を開始することを試みていることがある他のＡＴ１１５と区別するために、ＡＴ１１５によって選択された乱数を備え得る。場合によっては、初期アクセスは、ＡＴ１１５が通信リンク１２５を要求しようとしていることを示す、地上局１０５が受信する第１の指示であり得る。他の場合には、地上局１０５は、コアネットワーク１３０から、ＡＴ１１５がそれのカバレージエリア１１０に入りつつあるという指示を受信していることがある。初期アクセスメッセージは、オフセットモジュール４２５によって決定されたタイミングオフセットに従って送信され得る。
【００５５】
[0065]アクセス応答メッセージ６１０は、地上局１０５によって送信され得、受信機２０５および応答メッセージモジュール４１０の協調を通してＡＴ１１５によって受信され得る。アクセス応答メッセージ６１０は、初期アクセスメッセージ６０５を受信した後、地上局１０５によって送られ得る。アクセス応答メッセージ６１０はタイミング整合値を含み得る。
【００５６】
[0066]接続メッセージ６１５は、接続メッセージモジュール４１５によって生成され得、送信機２１５によって地上局１０５に送信され得る。それは、地上局１０５とのＲＲＣインターフェースを確立するようにとの要求を含み得る。接続メッセージ６１５は、アクセス応答メッセージ６１０中で受信されたタイミング整合値に基づく調整されたタイミングオフセットに従って送信され得る。
【００５７】
[0067]競合解消メッセージ６２０は、地上局１０５によって送信され得、受信機２０５および競合解消モジュール４２０の協調を通してＡＴ１１５によって受信され得る。それは、非一意の初期アクセスメッセージ６０５の選択によって引き起こされた衝突を解消するために使用され得る。場合によっては、ＡＴ１１５に宛てられた競合解消メッセージ６２０の受信は、リンク１２５上での通信を進めるようにとの指示であり得る。
【００５８】
[0068]次に図７を参照すると、図７００は、受信された初期アクセスメッセージと地上局検出ウィンドウ７１０との間の関係を示している。図６に関する初期アクセスメッセージ６０５など、ＡＴ１１５からの送信は、ランダムアクセス（ＲＡ）送信スロット７０５に関連付けられ得る。ＡＴ１１５と地上局１０５との間の伝搬遅延により、初期アクセスメッセージのための地上局検出ウィンドウ７１０は、遅延の後に開始し得る。
【００５９】
[0069]いくつかの実施形態では、初期アクセスメッセージ６０５は、サイクリックプレフィックス（ＣＰ）７２５と、プリアンブルシーケンス７３０と、ガードタイム（ＧＴ）７３５とを備え得る。地対地通信システムでは、セルの地理的カバレージエリアは、カバレージエリア内のモバイルデバイスが、プリアンブルシーケンス７３０が検出ウィンドウ７１０内に入るような短い伝搬遅延７１５を用いて送信することになるような、十分に小さいものであり得る。しかしながら、空対地ワイヤレス通信システム１００では、潜在的に大きいセルサイズにより、いくつかのＡＴ１１５は、プリアンブルシーケンス７３０が検出ウィンドウ７１０外にあるような長い伝搬遅延７２０を経験し得る。これにより、メッセージの受信は失敗することがある。
【００６０】
[0070]タイミングオフセットを用いて送信された初期アクセスメッセージ６０５は、短い伝搬遅延７１５をもつ送信に近似し得、それにより、プリアンブルシーケンス７３０は、ＡＴ１１５のロケーションにかかわらず地上局検出ウィンドウ７１０内に入る。調整されたタイミングオフセットは、初期タイミングオフセットよりも一層正確であり得、送信のより一層信頼できる受信をもたらし得る。場合によっては、地上局１０５は、ＣＰ７２５またはＧＴ７３５が検出ウィンドウの外側にある場合、初期アクセスメッセージを正常に受信することが可能であり得る。
【００６１】
[0071]次に図８を参照すると、フローチャートは、ＡＴにおいてワイヤレス通信リンクを確立するための方法８００を示している。明快のために、方法８００について、図１、図２、図３、図４、図５、および／または図６を参照しながら説明したＡＴ１１５のうちの１つに関して以下で説明する。ブロック８０５において、オフセットモジュール４２５は、タイミングオフセットを決定する。タイミングオフセットは、ＡＴ１１５と地上局１０５との間の伝搬遅延に少なくとも部分的に基づき得る。したがって、オフセットモジュール４２５は、ＡＴ１１５と地上局１０５との間の伝搬遅延に少なくとも部分的に基づいて、タイミングオフセットを決定するための手段であり得る。
【００６２】
[0072]ブロック８１０において、初期アクセスモジュール４０５は、送信機２１５と協調して、オフセットモジュール４２５と協調して決定されたタイミングオフセットに少なくとも部分的に基づいて、初期アクセスメッセージを送信し得る。初期アクセスメッセージ送信はＲＡ−ＲＮＴＩを搬送し得る。したがって、初期アクセスモジュール４０５は、決定されたタイミングオフセットに少なくとも部分的に基づいて、地上局１０５に初期アクセスメッセージを送信するための手段であり得る。送信機２１５はまた、広いカバレージおよびアンテナダイバーシティを達成するように構成された１つまたは複数の広間隔の要素を備える地上局アンテナ要素のサブセットによって地上局において受信されるべき初期アクセスメッセージを送信するための手段であり得る。
【００６３】
[0073]ブロック８１５において、応答メッセージモジュール４１０は、受信機２０５と協調して、タイミング整合値を含むアクセス応答メッセージを受信する。応答メッセージモジュール４１０は、オフセット調整モジュール４３０上にこのタイミング整合値を受け渡し得る。アクセス応答メッセージは、少なくとも、ＲＮＴＩ（たとえば、セルＲＮＴＩまたは一時セルＲＮＴＩのいずれか）とアップリンク許可リソースとを備え得る。したがって、応答メッセージモジュール４１０は、地上局からタイミング整合値を含むアクセス応答メッセージを受信するための手段であり得る。
【００６４】
[0074]ブロック８２０において、オフセット調整モジュール４３０は、タイミングアドバンス値に少なくとも部分的に基づいて、タイミングオフセットを調整する。これは、オフセットモジュール４２５と協調して行われ得る。したがって、オフセット調整モジュール４３０は、タイミング整合値に少なくとも部分的に基づいて、タイミングオフセットを調整するための手段であり得る。
【００６５】
[0075]次に図９を参照すると、フローチャートは、ＲＲＣ接続要求メッセージまたはＲＲＣ再確立要求メッセージとともにロケーション情報を送信するための方法９００を示している。明快のために、方法９００について、図１、図２、図３、図４、図５、および／または図６を参照しながら説明したＡＴ１１５のうちの１つに関して以下で説明する。ブロック９０５において、オフセットモジュール４２５は、タイミングオフセットを決定する。オフセットモジュール４２５は、ロケーションモジュール３１５からのロケーション情報に基づいて、タイミングオフセットを決定し得る。ＡＴロケーションモジュール４３５は、ＡＴロケーションを識別するための手段であり得、一実施形態では、ＧＰＳデバイスからＡＴロケーションを識別するための手段であり得る。ＧＳロケーションモジュールは、地上局ロケーションの記憶されたセットからの地上局ロケーションにアクセスするための手段であり得る。したがって、ロケーションモジュール３１５は、ＡＴロケーションを地上局ロケーションと比較するための手段であり得る。
【００６６】
[0076]ブロック９１０において、初期アクセスモジュール４０５は、送信機２１５と協調して、オフセットモジュール４２５と協調して決定されたタイミングオフセットに少なくとも部分的に基づいて、初期アクセスメッセージを送信し得る。
【００６７】
[0077]ブロック９１５において、応答メッセージモジュール４１０は、受信機２０５と協調して、タイミング整合値を含むアクセス応答メッセージを受信する。応答メッセージモジュール４１０は、オフセット調整モジュール４３０上にこのタイミング整合値を受け渡し得る。アクセス応答メッセージは、少なくとも、ＲＮＴＩ（たとえば、セルＲＮＴＩまたは一時セルＲＮＴＩのいずれか）とアップリンク許可リソースとを備え得る。したがって、応答メッセージモジュール４１０は、地上局からタイミング整合値を含むアクセス応答メッセージを受信するための手段であり得る。
【００６８】
[0078]ブロック９２０において、オフセット調整モジュール４３０は、タイミングアドバンス値に少なくとも部分的に基づいて、タイミングオフセットを調整する。これは、オフセットモジュール４２５と協調して行われ得る。したがって、オフセット調整モジュール４３０は、タイミング整合値に少なくとも部分的に基づいて、タイミングオフセットを調整するための手段であり得る。
【００６９】
[0079]ブロック９２５において、接続メッセージモジュール４１５は、送信機２１５と協調して、地上局１０５にＡＴロケーション情報を含む接続メッセージを送信し得る。接続メッセージは、オフセット調整モジュール４３０と協調して調整されたタイミングオフセットに少なくとも部分的に基づいて送信され得る。ロケーション情報は、ＡＴロケーションモジュール４３５から受信され得る。場合によっては、接続メッセージは、ＲＲＣ接続要求メッセージまたはＲＲＣ再確立要求メッセージであり得、ランダム値、ＴＭＳＩ、または接続確立原因のうちの１つまたは複数を含み得る。したがって、接続メッセージモジュール４１５は、ＡＴロケーション情報を含む接続メッセージを送信するための手段であり得る。
【００７０】
[0080]ブロック９３０において、競合解消モジュール４２０は、受信機２０５と協調して、競合解消メッセージを受信する。競合解消メッセージは、特定のＴＭＳＩまたは乱数をもつＡＴ１１５に宛てられ得る。それは、さらなる通信のために使用されるべきＣ−ＲＮＴＩを含み得る。したがって、競合解消モジュール４２０は、競合解消メッセージを受信するための手段得る。
【００７１】
[0081]次に図１０を参照すると、フローチャートは、ＲＲＣ接続要求メッセージとともにロケーション情報を送信するための方法１０００を示している。明快のために、方法１０００について、図１、図２、図３、図４、図５、および／または図６を参照しながら説明したＡＴ１１５のうちの１つに関して以下で説明する。ブロック１００５において、初期アクセスモジュール４０５は、送信機２１５と協調して、地上局に初期アクセスメッセージを送信し得る。一実施形態では、送信はタイミングオフセットに基づくが、別の実施形態では、初期タイミングオフセットがない。したがって、初期アクセスモジュール４０５は、地上局１０５に初期アクセスメッセージを送信するための手段であり得る。
【００７２】
[0082]ブロック１０１０において、応答メッセージモジュール４１０は、受信機２０５と協調して、地上局１０５からアクセス応答メッセージを受信する。ブロック１０１５において、接続メッセージモジュール４１５は、送信機２１５と協調して、地上局１０５にＡＴロケーション情報をもつＲＲＣ接続要求メッセージを送信し得る。情報ロケーションは、ＡＴロケーションモジュール４３５から受信され得る。したがって、接続メッセージモジュール４１５は、地上局にＲＲＣ接続要求メッセージを送信するための手段であり得、ＲＲＣ接続要求メッセージはＡＴのロケーション情報を備える。
【００７３】
[0083]次に図１１を参照すると、フローチャートは、ＡＴにおいてワイヤレス通信リンクを確立するための方法１１００を示している。明快のために、方法１１００について、図１、図２、図３、図４、図５、および／または図６を参照しながら説明したＡＴ１１５のうちの１つに関して以下で説明する。ブロック１１０５において、初期アクセスモジュール４０５は、送信機２１５と協調して、地上局に初期アクセスメッセージを送信し得る。ブロック１１１０において、応答メッセージモジュール４１０は、受信機２０５と協調して、地上局１０５からアクセス応答メッセージを受信する。ブロック１１１５において、接続メッセージモジュール４１５は、送信機２１５と協調して、地上局１０５にロケーション情報をもつＲＲＣ接続要求メッセージを送信し得る。
【００７４】
[0084]ブロック１１２０において、受信機２０５は、地上局１０５からダウンリンク上でデータを受信し得る。データは、モデム５２０およびネットワークインターフェースモジュール５２５と協調して受信され得る。したがって、受信機２０５は、地上局１０５からダウンリンク上でデータを受信するための手段であり得、データは、地上局１０５におけるビームフォーミング構成を介してダウンリンク上で送信される。
【００７５】
[0085]ブロック１１２５において、送信機２１５は、地上局１０５にアップリンク上でデータを送信し得る。データは、モデム５２０およびネットワークインターフェースモジュール５２５と協調して送信され得る。したがって、送信機２１５は、地上局１０５にアップリンク上でデータを送信するための手段であり得、データは、地上局１０５におけるビームフォーミング構成を介してアップリンク上で受信される。
【００７６】
[0086]添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【００７７】
[0087]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標））およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
【００７８】
[0088]情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７９】
[0089]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８０】
[0090]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００８１】
[0091]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００８２】
[0092]本開示の上述の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
【図１】
2019071616.tif 000003
【図２】
2019071616.tif 000004
【図３】
2019071616.tif 000005
【図４】
2019071616.tif 000006
【図５】
2019071616.tif 000007
【図６】
2019071616.tif 000008
【図７】
2019071616.tif 000009
【図８】
2019071616.tif 000010
【図９】
2019071616.tif 000011
【図１０】
2019071616.tif 000012
【図１１】
2019071616.tif 000013
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
航空機端末（ＡＴ）においてワイヤレス通信リンクを確立する方法であって、
前記ＡＴと地上局との間の伝搬遅延に少なくとも部分的に基づいて、タイミングオフセットを決定することと、
前記決定されたタイミングオフセットに少なくとも部分的に基づいて、前記地上局に初期アクセスメッセージを送信することによって、前記地上局から何らかの通信を受信するより前に前記地上局との無線リソース制御（ＲＲＣ）インターフェースを確立するために通信を開始することと、前記初期アクセスメッセージは、前記ＲＲＣインターフェースを要求している前記ＡＴの前記地上局への第１の指示である、
前記地上局からタイミング整合値を含むアクセス応答メッセージを受信することと、
前記タイミング整合値に少なくとも部分的に基づいて、前記タイミングオフセットを調整することと、
前記調整されたタイミングオフセットに基づいてロケーション情報を含む接続メッセージを送信することと、
を備える、方法。
【請求項２】
前記ＡＴと前記地上局との間の距離が少なくとも１００キロメートルである、請求項１に記載の方法。
【請求項３】
前記タイミングオフセットを前記決定することが、
ＡＴロケーションを識別することと、
前記ＡＴロケーションを地上局ロケーションと比較することと
をさらに備える、請求項１に記載の方法。
【請求項４】
全地球測位システム（ＧＰＳ）デバイスを使用して前記ＡＴロケーションを識別することと、
地上局ロケーションの記憶されたセットからの前記地上局ロケーションにアクセスすることと
をさらに備える、請求項３に記載の方法。
【請求項５】
前記アクセス応答メッセージが、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信のためのリソースを確保し、前記ＲＮＴＩが、セルＲＮＴＩ（Ｃ−ＲＮＴＩ）または一時セルＲＮＴＩ（ＴＥＭＰ−ＣＲＮＴＩ）のいずれかを備える、請求項１に記載の方法。
【請求項６】
ロケーション情報を含む接続メッセージを送信することをさらに備える
請求項１に記載の方法。
【請求項７】
前記ロケーション情報が、少なくとも、前記ＡＴのロケーションを示す経度値、緯度値、および高度値を備える、請求項６に記載の方法。
【請求項８】
前記接続メッセージを前記送信することは、前記調整されたタイミングオフセットに少なくとも部分的に基づいている、請求項６に記載の方法。
【請求項９】
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信することをさらに備える、請求項１に記載の方法。
【請求項１０】
航空機端末（ＡＴ）においてワイヤレス通信リンクを確立するための装置であって、
前記ＡＴと地上局との間の伝搬遅延に少なくとも部分的に基づいて、タイミングオフセットを決定するための手段と、
前記地上局から何らかの通信を受信するより前に前記地上局との無線リソース制御（ＲＲＣ）インターフェースを確立するために、前記決定されたタイミングオフセットに少なくとも部分的に基づいて、前記地上局に初期アクセスメッセージを送信するための手段と、前記初期アクセスメッセージは、前記ＲＲＣインターフェースを要求している前記ＡＴの前記地上局への第１の指示である、
前記地上局からタイミング整合値を含むアクセス応答メッセージを受信するための手段と、
前記タイミング整合値に少なくとも部分的に基づいて、前記タイミングオフセットを調整するための手段と、
前記調整されたタイミングオフセットに基づいてロケーション情報を含む接続メッセージを送信するための手段と、
を備える、装置。
【請求項１１】
前記ＡＴと前記地上局との間の距離が少なくとも１００キロメートルである、請求項１０に記載の装置。
【請求項１２】
前記タイミングオフセットを前記決定するための手段が、
ＡＴロケーションを識別するための手段と、
前記ＡＴロケーションを地上局ロケーションと比較するための手段と
をさらに備える、請求項１０に記載の装置。
【請求項１３】
前記ＡＴロケーションを前記識別するための手段が、ＧＰＳデバイスを使用して前記ＡＴロケーションを識別するための手段を備え、
前記比較するための手段が、地上局ロケーションの記憶されたセットからの前記地上局ロケーションにアクセスするための手段を備える、
請求項１２に記載の装置。
【請求項１４】
前記アクセス応答メッセージが、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信のためのリソースを確保し、前記ＲＮＴＩが、セルＲＮＴＩ（Ｃ−ＲＮＴＩ）または一時セルＲＮＴＩ（ＴＥＭＰ−ＣＲＮＴＩ）のいずれかを備える、請求項１０に記載の装置。
【請求項１５】
ロケーション情報を含む接続メッセージを送信するための手段をさらに備える
請求項１０に記載の装置。
【請求項１６】
前記ロケーション情報が、少なくとも、前記ＡＴのロケーションを示す経度値、緯度値、および高度値を備える、請求項１５に記載の装置。
【請求項１７】
前記接続メッセージを前記送信するための手段は、前記調整されたタイミングオフセットに少なくとも部分的に基づいている、請求項１５に記載の装置。
【請求項１８】
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信するための手段をさらに備える、請求項１０に記載の装置。
【請求項１９】
航空機端末（ＡＴ）においてワイヤレス通信リンクを確立するための装置であって、
プロセッサと、
前記プロセッサと電子通信しているメモリと、
前記メモリに記憶された命令と
を備え、前記命令が、前記プロセッサによって、
前記ＡＴと地上局との間の伝搬遅延に少なくとも部分的に基づいて、タイミングオフセットを決定することと、
前記決定されたタイミングオフセットに少なくとも部分的に基づいて、前記地上局への初期アクセスメッセージの送信を通して、前記地上局から何らかの通信を受信するより前に前記地上局との無線リソース制御（ＲＲＣ）インターフェースを確立するために通信を開始することと、前記初期アクセスメッセージは、前記ＲＲＣインターフェースを要求している前記ＡＴの前記地上局への第１の指示である、
前記地上局からタイミング整合値を含むアクセス応答メッセージを受信することと、
前記タイミング整合値に少なくとも部分的に基づいて、前記タイミングオフセットを調整することと、
前記調整されたタイミングオフセットに基づいてロケーション情報を含む接続メッセージを送信することと、
を行うように実行可能である、装置。
【請求項２０】
前記ＡＴと前記地上局との間の距離が少なくとも１００キロメートルである、請求項１９に記載の装置。
【請求項２１】
前記命令が、前記プロセッサによって、
ＡＴロケーションを識別することと、
前記ＡＴロケーションを地上局ロケーションと比較することと
を行うようにさらに実行可能である、請求項１９に記載の装置。
【請求項２２】
前記命令が、前記プロセッサによって、
ＧＰＳデバイスを使用して前記ＡＴロケーションを識別することと、
地上局ロケーションの記憶されたセットからの前記地上局ロケーションにアクセスすることと
を行うようにさらに実行可能である、請求項２１に記載の装置。
【請求項２３】
前記命令が、前記プロセッサによって、
ロケーション情報を含む接続メッセージを送信するようにさらに実行可能である、請求項１９に記載の装置。
【請求項２４】
前記接続メッセージの送信は、前記調整されたタイミングオフセットに少なくとも部分的に基づいている、請求項２３に記載の装置。
【請求項２５】
前記命令が、前記プロセッサによって、
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信することを行うためにさらに実行可能である、請求項１９に記載の装置。
【請求項２６】
前記調整されたタイミングオフセットに少なくとも部分的に基づいて、前記地上局にＲＲＣ接続要求メッセージを送信することをさらに備え、前記ＲＲＣ接続要求メッセージが前記ＡＴのロケーション情報を備える、
請求項１に記載の方法。
【請求項２７】
前記ロケーション情報が、緯度、経度、高度、ヘッディング、速度、またはタイムスタンプのうちの１つまたは複数を備える、請求項２６に記載の方法。
【請求項２８】
前記ロケーション情報が、前記地上局におけるビームフォーミングを容易にするように構成された、請求項２６に記載の方法。
【請求項２９】
前記地上局からダウンリンク上でデータを受信することをさらに備え、前記データが、前記地上局におけるビームフォーミング構成を介して前記ダウンリンク上で送信される、請求項１に記載の方法。
【請求項３０】
前記地上局にアップリンク上でデータを送信することをさらに備え、前記データが、前記地上局におけるビームフォーミング構成を介して前記アップリンク上で受信される、請求項１に記載の方法。
【請求項３１】
前記初期アクセスメッセージは、ランダムアクセスプリアンブルを備える、請求項１に記載の方法。
【手続補正２】
【補正対象書類名】明細書
【補正対象項目名】００８２
【補正方法】変更
【補正の内容】
【００８２】
[0092]本開示の上述の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
航空機端末（ＡＴ）においてワイヤレス通信リンクを確立する方法であって、
前記ＡＴと地上局との間の伝搬遅延に少なくとも部分的に基づいて、タイミングオフセットを決定することと、
決定されたタイミングオフセットに少なくとも部分的に基づいて、前記地上局に初期アクセスメッセージを送信することと、
前記地上局からタイミング整合値を含むアクセス応答メッセージを受信することと、  前記タイミング整合値に少なくとも部分的に基づいて、前記タイミングオフセットを調整することと
を備える、方法。
［Ｃ２］
前記ＡＴと前記地上局との間の距離が少なくとも１００キロメートルである、Ｃ１に記載の方法。
［Ｃ３］
前記タイミングオフセットを決定することが、
ＡＴロケーションを識別することと、
前記ＡＴロケーションを地上局ロケーションと比較することと
をさらに備える、Ｃ１に記載の方法。
［Ｃ４］
全地球測位システム（ＧＰＳ）デバイスから前記ＡＴロケーションを識別することと、  地上局ロケーションの記憶されたセットからの前記地上局ロケーションにアクセスすることと
をさらに備える、Ｃ３に記載の方法。
［Ｃ５］
前記アクセス応答メッセージが、少なくとも、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信に十分なリソースを確保すべきであり、前記ＲＮＴＩが、セルＲＮＴＩ（Ｃ−ＲＮＴＩ）または一時セルＲＮＴＩ（ＴＥＭＰ−ＣＲＮＴＩ）のいずれかであり得る、Ｃ１に記載の方法。
［Ｃ６］
ロケーション情報を含む接続メッセージを送信すること
をさらに備える、Ｃ１に記載の方法。
［Ｃ７］
前記ロケーション情報が、少なくとも、前記ＡＴのロケーションを示す経度値、緯度値、および高度値を備える、Ｃ６に記載の方法。
［Ｃ８］
前記接続メッセージを送信することが、調整されたタイミングオフセットに少なくとも部分的に基づく、Ｃ６に記載の方法。
［Ｃ９］
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信すること
をさらに備える、Ｃ１に記載の方法。
［Ｃ１０］
ＡＴにおいてワイヤレス通信リンクを確立するための装置であって、
前記ＡＴと地上局との間の伝搬遅延に少なくとも部分的に基づいて、タイミングオフセットを決定するための手段と、
決定されたタイミングオフセットに少なくとも部分的に基づいて、前記地上局に初期アクセスメッセージを送信するための手段と、
前記地上局からタイミング整合値を含むアクセス応答メッセージを受信するための手段と、
前記タイミング整合値に少なくとも部分的に基づいて、前記タイミングオフセットを調整するための手段と
を備える、装置。
［Ｃ１１］
前記ＡＴと前記地上局との間の距離が少なくとも１００キロメートルである、Ｃ１０に記載の装置。
［Ｃ１２］
前記タイミングオフセットを決定するための手段が、
ＡＴロケーションを識別するための手段と、
前記ＡＴロケーションを地上局ロケーションと比較するための手段と
をさらに備える、Ｃ１０に記載の装置。
［Ｃ１３］
ＧＰＳデバイスから前記ＡＴロケーションを識別するための手段と、
地上局ロケーションの記憶されたセットからの前記地上局ロケーションにアクセスするための手段と
をさらに備える、Ｃ１２に記載の装置。
［Ｃ１４］
前記アクセス応答メッセージが、少なくとも、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信に十分なリソースを確保すべきであり、前記ＲＮＴＩが、セルＲＮＴＩ（Ｃ−ＲＮＴＩ）または一時セルＲＮＴＩ（ＴＥＭＰ−ＣＲＮＴＩ）のいずれかであり得る、Ｃ１０に記載の装置。
［Ｃ１５］
ロケーション情報を含む接続メッセージを送信するための手段
をさらに備える、Ｃ１０に記載の装置。
［Ｃ１６］
前記ロケーション情報が、少なくとも、前記ＡＴのロケーションを示す経度値、緯度値、および高度値を備える、Ｃ１５に記載の装置。
［Ｃ１７］
前記接続メッセージを送信するための手段が、調整されたタイミングオフセットに少なくとも部分的に基づく、Ｃ１５に記載の装置。
［Ｃ１８］
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信するための手段
をさらに備える、Ｃ１０に記載の装置。
［Ｃ１９］
ＡＴにおいてワイヤレス通信リンクを確立するための装置であって、
プロセッサと、
前記プロセッサと電子通信しているメモリと、
前記メモリに記憶された命令とを備え、前記命令が、前記プロセッサによって、
前記ＡＴと地上局との間の伝搬遅延に少なくとも部分的に基づいて、タイミングオフセットを決定することと、
決定されたタイミングオフセットに少なくとも部分的に基づいて、前記地上局に初期アクセスメッセージを送信することと、
前記地上局からタイミング整合値を含むアクセス応答メッセージを受信することと、    前記タイミング整合値に少なくとも部分的に基づいて、前記タイミングオフセットを調整することと
を行うために実行可能である、装置。
［Ｃ２０］
前記ＡＴと前記地上局との間の距離が少なくとも１００キロメートルである、Ｃ１９に記載の装置。
［Ｃ２１］
前記命令が、前記プロセッサによって、
ＡＴロケーションを識別することと、
前記ＡＴロケーションを地上局ロケーションと比較することと
を行うためにさらに実行可能である、Ｃ１９に記載の装置。
［Ｃ２２］
前記命令が、前記プロセッサによって、
ＧＰＳデバイスから前記ＡＴロケーションを識別することと、
地上局ロケーションの記憶されたセットからの前記地上局ロケーションにアクセスすることと
を行うためにさらに実行可能である、Ｃ２１に記載の装置。
［Ｃ２３］
前記命令が、前記プロセッサによって、
ロケーション情報を含む接続メッセージを送信すること
を行うためにさらに実行可能である、Ｃ１９に記載の装置。
［Ｃ２４］
前記接続メッセージを送信することが、調整されたタイミングオフセットに少なくとも部分的に基づく、Ｃ２３に記載の装置。
［Ｃ２５］
前記命令が、前記プロセッサによって、
広いカバレージおよびアンテナダイバーシティを達成するように構成された１つまたは複数の広間隔の要素を備える地上局アンテナ要素のサブセットによって前記地上局において受信されるべき前記初期アクセスメッセージを送信すること
を行うためにさらに実行可能である、Ｃ１９に記載の装置。
［Ｃ２６］
ＡＴにおいてワイヤレス通信リンクを確立する方法であって、
地上局に初期アクセスメッセージを送信することと、
アクセス応答メッセージを受信することと、
前記地上局にＲＲＣ接続要求メッセージを送信することと、前記ＲＲＣ接続要求メッセージが前記ＡＴのロケーション情報を備える、
を備える、方法。
［Ｃ２７］
前記ロケーション情報が、緯度、経度、高度、ヘッディング、速度、またはタイムスタンプのうちの１つまたは複数を備える、Ｃ２６に記載の方法。
［Ｃ２８］
前記ロケーション情報が、前記地上局におけるビームフォーミングを容易にするように構成された、Ｃ２６に記載の方法。
［Ｃ２９］
前記地上局からダウンリンク上でデータを受信すること
をさらに備え、
前記データが、前記地上局におけるビームフォーミング構成を介して前記ダウンリンク上で送信される、Ｃ２６に記載の方法。
［Ｃ３０］
前記地上局にアップリンク上でデータを送信すること、
をさらに備え、
前記データが、前記地上局におけるビームフォーミング構成を介して前記アップリンク上で受信される、Ｃ２６に記載の方法。
【外国語明細書】
2019071616000001.pdf